(57)【要約】【課題】電力を必要としないコストが掛からない簡便なメディアセッティング機構を提供する。【解決手段】プラテン２０表面に設けられた凹部１０２の開口部上面を覆う蓋体１１０前部を、手の指２００等で下方に押して、蓋体１１０を、付勢手段１３０の付勢力に抗して、支持腕１１２を中心に、凹部１０２内下方に回動、降下させ、凹部１０２の前端内側面に形成されたセッティング面１０４を、蓋体１１０前部の上方に露出させた状態とする。そして、そのセッティング面１０４に、メディアのＹ軸方向を向く前端縁１２を突当てて、そのメディア１０のＹ軸を、プラテン２０のＹ軸方向に向けてセッティングする。セッティングした後には、付勢手段１３０の付勢力を用いて、凹部１０２内下方に回動、降下させた蓋体１１０を、支持腕１１２を中心に凹部１０２内上方に回動、復帰させる。【選択図】図６
2006021366.tif 000002
【特許請求の範囲】
【請求項１】
プラテン上をＸ方向に搬送されるプリントメディアのＹ軸方向を向く前端縁を突当てて、そのプリントメディアのＹ軸をプラテンのＹ軸方向に向けてセッティングするセッティング面が前端内側面に形成された凹部が、前記プラテン上面に設けられ、
前記凹部の開口部上面を覆う蓋体と、該蓋体の後端を前記凹部後端近くのプラテン部分に回動自在に支持する支持腕とが備えられて、蓋体を、支持腕を中心に、凹部内下方に回動、降下させたり、凹部内上方に回動、復帰させたり可能に構成され、
さらに、前記凹部内下方に回動、降下させた蓋体を支持腕を中心に凹部内上方に回動、復帰させる付勢手段と、該付勢手段により凹部内上方に回動、復帰させる蓋体上面がその周囲のプラテン上面とほぼ同一平面上まで達した際に、その蓋体の上方に向けての回動を停止させる停止手段であって、前記蓋体を凹部内下方に回動、降下させるのを妨害しない停止手段とが備えられたことを特徴とするプリンタのプリントメディアセッティング機構。
【請求項２】
前記付勢手段が、前記蓋体前部と凹部内底面との間に挟持されたコイルばねである請求項１記載のプリンタのプリントメディアセッティング機構。
【請求項３】
前記停止手段が、前記蓋体前端から凹部内方に向けて延設されたフックと、前記凹部内側面に形成された、前記フック先端を係止させる係止部であって、前記蓋体を凹部内下方に回動、降下させた際に、フック先端を離脱、解放させることの可能な係止部とからなることを特徴とする請求項１又は２記載のプリンタのプリントメディアセッティング機構。
【発明の詳細な説明】
【技術分野】
【０００１】
本発明は、プリンタを用いて絵図又は／及び文字をプリントするプリントメディア（用紙、シート、フィルム等の記録媒体をいう）のＹ軸を、プラテン上のＹ軸方向に向けて、そのメディアをプラテン上にセッティングするための、プリンタのプリントメディアセッティング機構に関する。
【背景技術】
【０００２】
インクジェットプリンタは、その多くが、図９に示したように、プリントメディア（以下、単にメディアという）１０をプラテン２０上をＸ方向（縦方向）に移動させたり、インクジェットヘッド３０をプラテン２０上方をＹ方向（横方向であって、図９の表裏面方向）に移動させたりして、インクジェットヘッド３０をプラテン２０上に搭載されたメディア１０上方をＸ−Ｙ方向に相対的に移動させている。
【０００３】
このメディア１０をプラテン２０上をＸ方向に移動させるプリンタにおいては、そのメディア１０のＹ軸を、プラテン上のＹ軸方向に正確に向けてセッティングする必要がある。なぜならば、そのようにしないと、そのメディア１０表面にプリントされる絵図又は／及び文字が、メディア１０表面の所望部位から外れた部位に斜めに傾く等してプリントされてしまうからである。
そのために、従来のインクジェットプリンタ等のプリンタにおいては、そのプラテン上に搭載されるメディア１０のＹ軸を、プラテン２０上のＹ軸方向に正確に向けてセッティングするメディアセッティング機構が備えられている。
【０００４】
このメディアセッティング機構の代表例を挙げれば、図９に示したような、構造のものがある。このセッティング機構は、プラテン２０上に、セッティングライン２２が、プラテン２０のＹ軸方向（図９の表裏面方向）にプリントされた構造をしている。このセッティング機構によれば、メディア１０のＹ軸方向を向くメディアの前端縁１２を、上記Ｙ軸方向を向くセッティングライン２２に合わせることにより、そのプラテン２０上に搭載されるメディア１０のＹ軸を、プラテン２０上のＹ軸方向に向けてセッティングできる。
また、メディアセッティング機構の他の代表例を挙げれば、図１０に示したような、構造のものがある。このセッティング機構は、電磁ソレノイド４２や電動モータを駆動源とするリンク機構４４やカム機構により、セッティング板４６の上端を、プラテン２０のＹ軸方向（図１０の表裏面方向）に向けて、プラテン２０上方に突出させたり、プラテン２０内側に埋没させたりする構造をしている。そして、そのプラテン２０上方に突出させたプラテン２０のＹ軸方向を向くセッティング板４６の上端内側面に、メディアのＹ軸方向を向く前端縁１２を突当てることにより、そのプラテン２０上に搭載されるメディア１０のＹ軸を、プラテン２０上のＹ軸方向に向けてセッティングできる。また、そのプラテン２０上方に突出させたセッティング板４６の上端を、プラテン２０内側に埋没させることにより、そのセッティング板４６に邪魔されずに、メディア１０をプラテン２０上をＸ方向に円滑に移動させることができる。
【特許文献１】特開平５−３１８８５２号公報
【発明の開示】
【発明が解決しようとする課題】
【０００５】
しかしながら、前者のセッティング機構においては、そのプラテン２０上にプリントされたセッティングライン２２にメディアの前端縁１２を手の指等を用いて正確に合わせるのが困難であって、そのプラテン２０上に搭載されるメディア１０のＹ軸を、プラテン２０上のＹ軸方向に向けて常に正確にセッティングできなかった。
また、後者のセッティング機構は、電磁ソレノイド４２や電動モータを駆動源とし、複雑なリンク機構４４やカム機構を用いているために、その取り付けコストが掛かったり、電力を要したりして、近時の省エネタイプのプリンタには、不向きであった。
さらに、電磁ソレノイド等の電気部材を使用しない機構においては、手動レバーによりセッティング機構をＯＮ／ＯＦＦするなど、操作も複雑なものであった。
【０００６】
本発明は、このような課題を解消可能な、電力を必要としないコストが掛からない簡便なメディアセッティング機構を提供することを目的としている。
【課題を解決するための手段】
【０００７】
上記目的を達成するために、本発明のメディアセッティング機構は、プラテン上をＸ方向に搬送されるメディアのＹ軸方向を向く前端縁を突当てて、そのメディアのＹ軸をプラテンのＹ軸方向に向けてセッティングするセッティング面が前端内側面に形成された凹部が、前記プラテン上面に設けられ、
前記凹部の開口部上面を覆う蓋体と、該蓋体の後端を前記凹部後端近くのプラテン部分に回動自在に支持する支持腕とが備えられて、蓋体を、支持腕を中心に、凹部内下方に回動、降下させたり、凹部内上方に回動、復帰させたり可能に構成され、
さらに、前記凹部内下方に回動、降下させた蓋体を支持腕を中心に凹部内上方に回動、復帰させる付勢手段と、該付勢手段により凹部内上方に回動、復帰させる蓋体上面がその周囲のプラテン上面とほぼ同一平面上まで達した際に、その蓋体の上方に向けての回動を停止させる停止手段であって、前記蓋体を凹部内下方に回動、降下させるのを妨害しない停止手段とが備えられたことを特徴としている。
【０００８】
このメディアセッティング機構においては、プラテン表面に設けられた凹部の開口部上面を覆う蓋体前部を、手の指等で下方に押して、蓋体を、付勢手段の付勢力に抗して、支持腕を中心に、凹部内下方に回動、降下させることができる。その際には、蓋体を停止手段に妨害されずに、凹部内下方に回動、降下させることができる。そして、その凹部の前端内側面に形成されたプラテンのＹ軸方向を向くセッティング面を、蓋体前部の上方に露出させた状態とすることができる。
次いで、その蓋体前部の上方に露出させたセッティング面に、プラテン上をＸ方向に搬送されるメディアのＹ軸方向を向く前端縁を突当てることができる。そして、そのメディアのＹ軸を、プラテンのＹ軸方向に向けてセッティングできる。
このようにして、メディアのＹ軸を、プラテンのＹ軸方向に向けてセッティングした後には、付勢手段の付勢力を用いて、凹部内下方に回動、降下させた蓋体を、支持腕を中心に凹部内上方に回動、復帰させて、その蓋体上面がその周囲のプラテン上面とほぼ同一平面上となる位置まで達した際に、その蓋体の上方に向けての回動を、停止手段により停止させることができる。そして、プラテン上面に形成された凹部の開口部上面を、蓋体により、その蓋体上面が凹部周囲のプラテン上面とほぼ同一平面上に連なった状態となるように、覆うことができる。そして、その凹部上方を含むプラテン上を、上記のセッティングされたメディアを、凹部に引っ掻けることなく、Ｘ方向に円滑に移動させることができる。
【０００９】
本発明のメディアセッティング機構においては、前記付勢手段が、蓋体前部と凹部内底面との間に挟持されたコイルばねであると良い。
そうした場合には、そのコイルばねの付勢力を用いて、凹部内下方に回動、降下させた蓋体を、支持腕を中心に、凹部内上方に回動、復帰させたり、そのコイルばねの付勢力に抗して、蓋体を、支持腕を中心に、凹部内下方に回動、降下させたりできる。
【００１０】
また、本発明のメディアセッティング機構においては、前記停止手段を、蓋体前端から凹部内方に向けて延設されたフックと、凹部内側面に形成された、前記フック先端を係止させる係止部であって、前記蓋体を凹部内下方に回動、降下させた際に、前記フック先端を離脱、解放させることの可能な係止部とから構成すると良い。
そうした場合には、付勢手段の付勢力を受けて、蓋体が支持腕を中心に凹部内上方に所定角度回動、復帰した際に、その蓋体前部から凹部内下方に向けて延設されたフック先端を、凹部内側面に形成された係止部に係止させることができる。そして、その凹部内上方に回動、復帰させる蓋体上面がその周囲のプラテン上面とほぼ同一平面上となった際に、その蓋体の上方に向けての回動を停止させることができる。
また、このようにして、凹部内上方に回動、復帰させた蓋体は、その蓋体前部を、手の指等で下方に押すことにより、その蓋体前部から延設されたフック先端を、凹部内側面に形成された係止部から離脱、解放させることができる。そして、その蓋体を、停止手段に妨害されずに、付勢手段の付勢力に抗して、支持腕を中心に、凹部内下方に再び回動、降下させることができる。
【発明の効果】
【００１１】
本発明のメディアセッティング機構によれば、プラテン上に搭載するメディアのＹ軸を、プラテンのＹ軸方向に向けて正確に容易にセッティングできる。
また、そのメディアセッティング機構を、プラテン上面に設けた凹部と、その凹部の開口部上面を覆う蓋体などからなる、手の指等で操作する、簡単な構造とすることができる。そして、そのメディアセッティング機構を、電力を必要としない、省エネタイプの、取り付け費用の掛からない機構とすることができる。
【発明を実施するための最良の形態】
【００１２】
次に、本発明の実施の形態を図面に従い説明する。
図１と図２は本発明のメディアセッティング機構の好適な実施の形態を示し、図１はその凹部周辺の拡大側面断面図、図２はそのセッティング機構が備えられたインクジェットプリンタの側面断面である。以下に、このメディアセッティング機構を説明する。
【００１３】
このメディアセッティング機構は、汎用のインクジェットプリンタのメディア１０を搭載するプラテン２０に備えられている。
具体的には、メディア１０をＸ方向に搬送するプラテン２０前部上面のほぼ中央に、方形状をした横長の凹部１０２が、プラテン２０のＹ軸方向に向けて設けられている。凹部１０２の前端内側面の上部には、プラテン２０上をＸ方向に搬送されるメディア１０のＹ軸方向を向く前端縁１２を突当てて、そのメディア１０のＹ軸をプラテン２０のＹ軸方向に向けてセッティングするセッティング面１０４が形成されている。
また、凹部１０２の開口部上面を覆う蓋体１１０が設けられて、その蓋体１１０の後端が、支持腕１１２を介して、凹部１０２後端近くのプラテン２０部分に回動自在に支持されている。そして、その蓋体１１０を、支持腕１１２を中心に、凹部１０２内下方に回動、降下させたり、凹部１０２内上方に回動、復帰させたり可能に構成されている。
さらに、凹部１０２内下方に回動、降下させた蓋体１１０を、支持腕１１２を中心に、凹部１０２内上方に回動、復帰させる付勢手段１３０が備えられている。付勢手段１３０は、蓋体１１０前部と凹部１０２内底面との間に挟持されたコイルばね１３２から形成されている。そして、そのコイルばね１３２の付勢力を用いて、凹部１０２内下方に回動、降下させた蓋体１１０を、支持腕１１２を中心に、凹部１０２内上方に回動、復帰させたり、そのコイルばね１３２の付勢力に抗して、蓋体１１０前部を手の指２００等で下方に押すことにより、蓋体１１０を、支持腕１１２を中心に、凹部１０２内下方に回動、降下させたりできるように構成されている。
また、付勢手段１３０により凹部１０２内上方に回動、復帰させる蓋体１１０上面がその周囲のプラテン２０上面とほぼ同一平面上まで達した際に、その蓋体１１０の上方に向けての回動を停止させる停止手段１４０であって、蓋体１１０を凹部１０２内下方に回動、降下させるのを妨害しない停止手段１４０が備えられている。停止手段１４０は、蓋体１１０前端から凹部１０２内下方に向けてほぼ垂直に延設されたレの字状をしたフック１４２と、凹部１０２前端内側面の下部に形成された、フック１４２先端を係止させる逆Ｌ字状に切り欠かれた係止部１４４とから構成されている。そして、付勢手段１３０の付勢力を受けて、蓋体１１０が支持腕１１２を中心に凹部１０２内上方に所定角度回動、復帰して、その蓋体１１０上面がその周囲のプラテン２０上面とほぼ同一平面上まで達した際に、その蓋体１１０前部から凹部１０２内下方に向けて延設されたフック１４２先端を、凹部１０２前端内側面の下部に形成された係止部１４４の上端内側面に係止させることができるように構成されている。そして、その凹部１０２内上方に回動、復帰させる蓋体１１０上面がその周囲のプラテン２０上面とほぼ同一平面上となった際に、その蓋体１１０の上方に向けての回動を停止させることができるように構成されている。他方、蓋体１１０前部を手の指等で押した際には、蓋体１１０前端から凹部１０２内下方に向けて延設されたフック１４２先端を、係止部１４４の上端内側面からその下方に離脱、解放させることができるように構成されている。そして、そのフック１４２を、凹部１０２内下方に降下させて、フック１４２の先部を、凹部１０２内底面に設けられた貫通穴１０６を通して、プラテン２０下方に突出させることができるように構成されている。
【００１４】
図１と図２に示したメディアセッティング機構は、以上のように構成されていて、このメディアセッティング機構を用いて、メディア１０をプラテン２０上にセッティングする場合には、図３と図４に示したように、プラテン２０の下方と上方とに対向させて備えられたメディア１０搬送用の送りローラ５２と押さえローラ５４との間を、押さえローラ５４を送りローラ５２の上方に移動させて、広く解放した状態とする。そして、プラテン２０上に搭載されたメディア１０を、送りローラ５２や押さえローラ５４に邪魔されぬようにして、プラテン２０上をＸ方向に当る前方に手の指２００等で移動させる。そして、図４に示したように、そのメディア１０前部により蓋体１１０上面を覆った状態とすると共に、そのメディア１０のＹ軸方向を向く前端縁１２を、プラテン２０上面の前部に設けられた凹部１０２の前端内側面に形成されたプラテン２０のＹ軸方向を向くセッティング面１０４の上方近くに並べて配置した状態とする。
次いで、図５と図６に示したように、プラテン２０上面の前部に設けられた凹部１０２の開口部上面を覆う蓋体１１０前部を、蓋体１１０上面を覆うメディア１０を介して、手の指２００等で下方に押して、その蓋体１１０を、付勢手段１３０の付勢力に抗して、支持腕１１２を中心に、凹部１０２内下方に回動、降下させる。その際には、図６に示したように、蓋体１１０前端から凹部１０２内下方に延設されたフック１４２先端を、それが係止された凹部１０２前端内側面下部の係止部１４４の上端内側面からその下方に離脱、解放させて、そのフック１４２先部を、凹部１０２内底部に開口する貫通穴１０６を通して、プラテン２０下方に降下させる。すると、その凹部１０２の前端内側面に形成されたプラテン２０のＹ軸方向を向くセッティング面１０４を、蓋体１１０前部の上方に露出させた状態とすることができる。
次いで、同じ図６に示したように、その蓋体１１０前部の上方に露出させたＹ軸方向を向くセッティング面１０４に、蓋体１１０の上面を覆う前記メディア１０前部のＹ軸方向を向く前端縁１２を手の指２００等で突当てる。すると、そのメディア１０のＹ軸を、プラテン２０のＹ軸方向に向けてセッティングできる。
【００１５】
このようにして、メディア１０のＹ軸を、プラテン２０のＹ軸方向に向けてセッティングした後には、図７に示したように、押さえローラ５４を送りローラ５２方向に降下させて、その押さえローラ５４と送りローラ５２との間に、上記のようにしてセッティングされたメディア１０を、そのメディア１０のＹ軸がプラテン２０のＹ軸方向に対して平行な状態を維持するように、挟み込む。それと共に、図７と図８に示したように、手の指２００等を蓋体１１０上方に離脱させて、蓋体１１０前部を手の指２００等で下方に押すのを、止める。そして、付勢手段１３０の付勢力を用いて、凹部１０２内下方に回動、降下させた蓋体１１０を、支持腕１１２を中心に、凹部１０２内上方に回動、復帰させる。そして、その蓋体１１０上面がその周囲のプラテン２０上面とほぼ同一平面上となる位置まで達した際に、その蓋体１１０の上方に向けての回動を、停止手段１４０により停止させる。具体的には、蓋体１１０前部から延設されたフック１４２先端を、凹部１０２前端内側面下部に形成された係止部１４４の上端内側面に係止させる。すると、図８に示したように、プラテン２０上面に形成された凹部１０２の開口部上面を、蓋体１１０により、その蓋体１１０上面が凹部１０２周囲のプラテン２０上面とほぼ同一平面上に連なった状態となるように、覆うことができる。そして、その凹部１０２上方を含むプラテン２０上を、上記のセッティングされたメディア１０を、送りローラ５２の回転方向に当るＸ方向に、凹部１０２に引っ掻けることなく円滑に移動させることができる。
【００１６】
また、このようにして、凹部１０２内上方に回動、復帰させた蓋体１１０は、図５と図６に示したように、その蓋体１１０前部を、その蓋体１１０上面を覆うメディア１０を介して、手の指２００等で、凹部１０２内下方に押すことにより、その蓋体１１０前部から延設されたフック１４２先端を、凹部１０２前端内側面の下部に形成された係止部１４４の上端内側面からその下方に離脱させることができる。そして、その蓋体１１０を、停止手段のフック１４２に妨害されずに、付勢手段のコイルばね１３２の付勢力に抗して、支持腕１１２を中心に、凹部１０２内下方に再び回動、降下させることができる。そして、メディア１０を繰り返しセッティングできる。
【産業上の利用可能性】
【００１７】
本発明のメディアセッティング機構は、インクジェットプリンタは、勿論、プラテン上をカットメディアをＸ方向に搬送する、カッティングプロッタ等の他の種類のプリンタにも、幅広く利用可能である。
また、本発明のメディアセッティング機構は、所定長さに切断された単葉のメディアは勿論、ロール紙状をした長尺のメディアのＹ軸方向を向く前端縁を凹部前端内側面のセッティング面に突当てて、そのメディアのＹ軸を、プラテンのＹ軸方向に向けてセッティングするための、メディアセッティング機構にも、利用可能である。
さらに、本発明のメディアセッティング機構は、プラテン上をＸ方向に搬送されるメディアのＸ軸を、プラテンのＸ軸方向に向けてセッティングする機構にも、利用可能である。即ち、その場合には、凹部を、プラテン上面の側部にＸ軸方向に向けて長く設けると良い。そして、その凹部の開口部上面を覆う蓋体を備えて、その蓋体後端を、凹部内端近くのプラテン部分に支持腕を介して回動可能に支持したり、その凹部の外端内側面上部に、セッティング面を形成したり等すると良い。そして、その凹部の外端内側面上部に形成されたプラテンのＸ軸方向を向くセッティング面に、メディアのＸ軸方向を向く側縁を突当てて、そのメディアのＸ軸を、プラテンのＸ軸方向に向けてセッティングできるようにすると良い。
【図面の簡単な説明】
【００１８】
【図１】本発明のメディアセッティング機構の凹部周辺の拡大側面断面図である。
【図２】本発明のメディアセッティング機構を備えたインクジェットプリンタの側面断面図である。
【図３】本発明のメディアセッティング機構の使用方法を示す側面断面図である。
【図４】本発明のメディアセッティング機構の使用方法を示す拡大側面断面図である。
【図５】本発明のメディアセッティング機構の使用方法を示す側面断面図である。
【図６】本発明のメディアセッティング機構の使用方法を示す拡大側面断面図である。
【図７】本発明のメディアセッティング機構の使用方法を示す側面断面図である。
【図８】本発明のメディアセッティング機構の使用方法を示す拡大側面断面図である。
【図９】従来のメディアセッティング機構を備えたインクジェットプリンタの側面断面図である。
【図１０】従来のメディアセッティング機構を備えたインクジェットプリンタの側面断面図である。
【符号の説明】
【００１９】
１０  メディア
１２  メディアの前端縁
２０  プラテン
３０  インクジェットヘッド
４６  セッティング板
５２  送りローラ
５４  押さえローラ
１０２  凹部
１０４  セッティング面
１１０  蓋体
１１２  支持腕
１３０  付勢手段
１４０  停止手段
１４２  フック
１４４  係止部
２００  手の指
【図１】
2006021366.tif 000003
【図２】
2006021366.tif 000004
【図３】
2006021366.tif 000005
【図４】
2006021366.tif 000006
【図５】
2006021366.tif 000007
【図６】
2006021366.tif 000008
【図７】
2006021366.tif 000009
【図８】
2006021366.tif 000010
【図９】
2006021366.tif 000011
【図１０】
2006021366.tif 000012